(57)【要約】【課題】球根型の集魚灯またはスリム管型の集魚灯のいずれを装着した場合でも、ソケットケースの開放部とこの開放部に収容されたソケット本体との間の隙間口が、ソケットケースに取付けられた防水パッキンにより十分に防水される集魚灯用ソケットを提供する。【解決手段】集魚灯用ソケットを、集魚灯１の口金１ａが装着されるソケット本体２と、このソケット本体２を収容する開放部３ａが設けられたソケットケース３と、このソケットケース３に取付けられ、装着された集魚灯１の首部１ｂを囲む筒状の防水パッキン４とを備え、防水パッキン４の内周に内向きのフランジ部７ａ、７ｂが筒軸方向に複数形成されており、ソケット本体側のフランジ部７ａが開放部３ａとソケット本体２との間の隙間口８を閉塞するようにソケット本体２の受け口縁２ｅに被さり、集魚灯側のフランジ部７ｂが隙間口８を遮蔽するように設けられている構成とした。【選択図】図１
0003109856.tif 000002
【実用新案登録請求の範囲】
【請求項１】
集魚灯の口金が装着されるソケット本体と、このソケット本体を収容する開放部が設けられたソケットケースと、このソケットケースに取付けられ、装着された集魚灯の発光部を囲む筒状の防水パッキンとを備え、上記防水パッキンの内周に内向きのフランジ部が筒軸方向に複数形成されており、ソケット本体側のフランジ部が上記開放部と上記ソケット本体との間の隙間口を閉塞するように上記ソケット本体の受け口縁に被さり、集魚灯側のフランジ部が上記隙間口を遮蔽するように設けられている集魚灯用ソケット。
【請求項２】
上記防水パッキンのうち、上記発光部との対面部分に周方向のリブが形成されていることを特徴とする請求項１に記載の集魚灯用ソケット。
【考案の詳細な説明】
【技術分野】
【０００１】
この考案は、イカ漁等、夜間の漁に使用される集魚灯用のソケットに関する。
【背景技術】
【０００２】
通常、集魚灯用ソケットは、漁船に張ったワイヤーロープに吊るされており、一般に、メタルハライドランプ等の各種集魚灯が用途に応じて装着される。このような集魚灯の発光部は、発光部の首部が太く最大外径も大きい球根型や、首部が比較的細く最大外径も小さい酒瓶状のスリム管型など、用途に応じて様々な形状に設けられている。このため、集魚灯用ソケットには、種々の発光部形状の集魚灯に対応できることが求められる。
【０００３】
例えば、特許文献１に記載の集魚用ソケットは、集魚灯の口金が挿入されるソケット本体と、このソケット本体が収容される開放部を設けたソケットケースとを備えている。ソケット本体の受け口内には受金が取付けられており、この受金に通じる端子部がソケット本体の外面に設けられている。
【０００４】
ソケットケースは、釣鐘状に形成されており、その開放部内にはケース側端子が設けられている。開放部内周とソケット本体外周との間の隙間口には、環状の金属板がビス止めされており、この金属板によりソケット本体が抜止めされている。また、ケース側端子は、ソケット本体が開放部に収容された状態で端子部と接続されている。これら金属板や端子部等が波しぶき等を被らないようにするため、ソケットケースには、上記の隙間口を遮蔽する防水パッキンが取付けられている。
【０００５】
防水パッキンは、シリコンゴム製のものが用いられており、ソケットケース外周に圧入嵌合される外周壁と、ソケット本体に装着された集魚灯とソケットケースの開放部との間に介在する内周壁と、この内周壁と外周壁とをつなぐ遮蔽部と、内周壁上端から内向きに連設されたフランジ部とを有する。このフランジ部は、ソケット本体の受け口縁に被さるように設けられている。このため、特許文献１のような集魚灯用ソケットは、上記の隙間口が防水パッキンのフランジ部と内周壁と遮蔽部とにより遮蔽されているので、スリム管型を装着する場合においても、防水パッキンを交換する必要がない。
【０００６】
【特許文献１】特開２００３−２１７７７９号公報（図２、段落番号[００１６]〜段落番号[００２４]参照）
【考案の開示】
【考案が解決しようとする課題】
【０００７】
しかしながら、球根型の集魚灯のように発光部の首部が太い場合、遮蔽部が首部により外向きに圧縮される。これに伴い、内周壁は、外方に変位したり、さらには傾いたりする。したがって、内周壁上端に連設されたフランジ部が受け口縁から外方にずれた状態になり得る。このため、上記の隙間口が十分に防水されない恐れがあった。
【０００８】
そこで、この考案の課題は、球根型の集魚灯またはスリム管型の集魚灯のいずれが装着された場合でも、ソケットケースの開放部とこの開放部に収容されたソケット本体との間の隙間口が、ソケットケースに取付けられた防水パッキンにより十分に防水される集魚灯用ソケットを提供することにある。
【課題を解決するための手段】
【０００９】
上記の課題を解決するため、この考案は、集魚灯用ソケットを、集魚灯の口金が装着されるソケット本体と、このソケット本体を収容する開放部が設けられたソケットケースと、このソケットケースに取付けられ、装着された集魚灯の発光部を囲む筒状の防水パッキンとを備え、上記防水パッキンの内周に内向きのフランジ部が筒軸方向に複数形成されており、ソケット本体側のフランジ部が上記開放部と上記ソケット本体との間の隙間口を閉塞するように上記ソケット本体の受け口縁に被さり、集魚灯側のフランジ部が上記隙間口を遮蔽するように設けられている構成とした。
【００１０】
この考案の構成によれば、上記防水パッキンの内周に内向きのフランジ部が筒軸方向に複数形成されているので、球根型の集魚灯が装着された場合、その発光部が集魚灯側のフランジ部に接触したとしても、そのフランジ部のみが外向きに圧縮される。このため、防水パッキン自体は殆んど変形せず、ソケット本体側のフランジ部が外方にずれ動くこともない。そして、この集魚灯側のフランジ部は、発光部との接触により、開放部に浸入した波しぶき等が上記の隙間口に到達することを防ぐ。さらに、ソケット本体側のフランジ部が上記開放部と上記ソケット本体との間の隙間口を閉塞するように上記ソケット本体の受け口縁に被さっているので、集魚灯が装着されると、ソケット本体側のフランジ部は、発光部の首部と接触し、或は首部の段差と上記の受け口縁とにより締め付けられる。この状態で、ソケット本体側のフランジ部は、集魚灯側のフランジ部と発光部との間を通過した波しぶきが上記の隙間口に浸入することを防止する。このように、球根型の集魚灯が装着された場合、上記の隙間口は、両フランジ部により二重に防水される。
【００１１】
一方、スリム管型の集魚灯が装着された場合、集魚灯側のフランジ部と発光部との間に隙間が生じるが、集魚灯側のフランジ部は、この間隔を狭めるので、波しぶきが開放部内に勢いよく浸入することを防止する。そして、ソケット本体側のフランジ部は、上記と同様に、波しぶきが上記の隙間口に浸入することを防止する。したがって、この考案に係る集魚灯用ソケットは、球根型の集魚灯またはスリム管型の集魚灯のいずれが装着される場合でも、上記の隙間口が防水パッキンにより十分に防水される。
【００１２】
なお、この考案の構成においては、上記防水パッキンが別部材を介して上記ソケットケースに取付けられた構成も含まれる。例えば、上記ソケットケースの外周に上記ソケット本体を位置決めする固定リングが着脱可能に設けられており、上記固定リングの外周面に上記防水パッキンが圧入嵌合されており、この防水パッキンのソケット本体側の端縁が、装着状態の固定リングと上記ソケットケースとにより締め付けられる構成を採用することができる。
【考案の効果】
【００１３】
上述のように、この考案に係る集魚灯用ソケットによれば、球根型の集魚灯またはスリム管型の集魚灯のいずれが装着された場合でも、ソケットケースの開放部とこの開放部に収容されたソケット本体との間の隙間口が、ソケットケースに取付けられた防水パッキンにより十分に防水される。このため、球根型の集魚灯からスリム管型の集魚灯に交換する場合、或は、その逆の場合において、いちいち防水パッキンを交換する必要がない。
【考案を実施するための最良の形態】
【００１４】
以下、この考案の実施形態に係る集魚灯用ソケットを添付図面に基づいて説明する。図１、図２に示すように、集魚灯用ソケットは、集魚灯１の口金１ａが装着されるソケット本体２と、このソケット本体２を収容する開放部３ａが設けられたソケットケース３と、このソケットケース３に取付けられ、装着された集魚灯１の発光部のうち、首部１ｂの部分を囲む筒状の防水パッキン４とを備える。なお、図１においては、集魚灯１は発光部が球根型のものであり、その首部１ｂ付近のみが示されている。
【００１５】
ソケット本体２には、一端開放・他端閉塞の受け口内に口金１ａに対応する受金２ａが設けられ、その外面に鍔部２ｂと接続端子２ｃとが設けられた碍子を用いている。
【００１６】
ソケットケース３には、一端開放・他端閉塞の円筒状に設けられたアルミ合金製のものを用いている。このソケットケース３の外周面および他端面には、放熱フィン３ｂが形成されている。また、ソケットケース３の他端面には、ワイヤーロープに掛けるための吊下げ具５が取付けられている。
【００１７】
さらに、ソケットケース３の外周面には、電源コードの引込み口３ｃが形成されている。また、ソケットケース３の外周の開放端側には、その筒軸方向に螺着される固定リング６が着脱可能に設けられている。
【００１８】
ソケット本体２は、開放部３ａに収容された状態で、その外周に形成された切欠き部２ｄとソケットケース３の開放端縁に形成された突起３ｄとが係合することにより回り止めされている。また、この状態で、固定リング６がソケットケース３に螺着されると、固定リング６の集魚灯側の端縁６ａはソケット本体２の鍔部２ｂと当たってこれを筒軸方向に位置決めする。これにより、ソケット本体２が抜止めされる。
【００１９】
防水パッキン４のソケット本体側の端部４ａは、固定リング６の外周面に圧入嵌合されている。この端部４ａの端縁が、装着状態の固定リング６の鍔部６ｂとソケットケース３の放熱フィン３ｂとにより締め付けられる。また、端部４ａには、周方向に複数の凹入部４ｂが形成されており、この凹入部４ｂが固定リング６の外周面に形成された突状部６ｃに嵌合される。この嵌合により、固定リング６の螺着時における防水パッキン４の回り止めがなされる。
【００２０】
さらに、防水パッキン４の内周のうち、首部１ｂとの対面部分には、内向きのフランジ部７ａ、７ｂが筒軸方向に間隔をもって２箇所に形成されている。
【００２１】
具体的には、ソケット本体側のフランジ部７ａは、開放部３ａとソケット本体２との間の隙間口８を閉塞するようにソケット本体２の受け口縁２ｅに被さっている。ここで、ソケット本体側のフランジ部７ａは、集魚灯１が首部１ｂの段差部分を有するので、集魚灯１が装着されると、その段差部分と受け口縁２ｅとにより締め付けられる。このため、フランジ部７ａは、受け口縁２ｅから外方にずれ動き難くい。
【００２２】
一方、集魚灯側のフランジ部７ｂは、隙間口８を筒軸方向において遮蔽するように設けられている。具体的には、フランジ部７ｂの内径が、ソケット本体側のフランジ部７ａの内径よりも大径とされ、ソケット本体２の外径と略同径に設けられている。これにより、フランジ部７ｂは、隙間口８を筒軸方向において遮蔽する。このようにフランジ部７ｂの内径を設定すると、フランジ部７ｂは、球根型の集魚灯であれば、発光部形状に多少の相違があっても首部１ｂの外周面と概ね接触するようになる。なお、この実施形態では、フランジ部７ｂの内径を、球根型の集魚灯に適合させているが、各種集魚灯の首部外径に応じて変更することは勿論である。
【００２３】
ここで、防水パッキン４、特に各フランジ部７ａ、７ｂは、高熱の発光部に曝され、或は、接触することになる。このため、防水パッキン４には、対応させる集魚灯の発熱量に応じて概ね３５０℃から７００℃の耐熱性を有するものを用いるとよい。例えば、防水パッキンには、シリコンゴム製のものや、シリコンゴム製のものに周知の耐熱処理を施したものを用いることができる。
【００２４】
なお、この実施形態においては、両フランジ部７ａ、７ｂの他に別のフランジ部を設けることもできる。この場合、両フランジ部７ａ、７ｂのようにして各フランジ部間に内径差を設けると、集魚灯用ソケットは、様々な発光部形状の集魚灯に対応して防水することができるものとなる。
【００２５】
また、防水パッキン４の外周のうち、首部１ｂとの対面部分には、周方向のリブ４ｃが、その筒軸方向に間隔をもって複数条形成されている。このリブ４ｃにより、防水パッキン４の内外方向外向きの変形に対する強度が高められる。このため、フランジ部７ｂが外向きに圧縮されたとしても、フランジ部７ａが外方にずれ動くことはより確実に防止される。なお、リブ４ｃは、防水パッキン４の内周に設けてもよい。
【図面の簡単な説明】
【００２６】
【図１】実施形態に係る集魚灯用ソケットの縦断正面図。
【図２】同上の分解斜視図。
【符号の説明】
【００２７】
１  集魚灯
１ａ  口金
１ｂ  首部
２  ソケット本体
２ｅ  受け口縁
３  ソケットケース
３ａ  開放部
４  防水パッキン
４ｃ  リブ
６  固定リング
７ａ、７ｂ  フランジ部
８  隙間口
【図１】
0003109856.tif 000003
【図２】
0003109856.tif 000004